(57)【要約】【課題】被検眼の画像を撮影モードに対応した最適の処理パラメータで処理して高品質の眼底画像を取得できる眼底撮影装置を提供する。【解決手段】ＣＣＤカメラ３１で撮像された眼底像の画像信号が、画像処理部４０で画像処理されて表示部５０に表示される。画像処理は、シャッター３２の操作に同期して行われ、この場合、撮影モードが判別され、この判別された撮影モードに適した処理パラメータで画像処理が行われる。このような構成では、シャッター操作に同期して、撮影モードを判別し、その撮影モードに適する画像処理パラメータで被検眼の画像信号を処理しているので、撮影モードの判別が確実になるとともに、判別された撮影モードに最適な処理パラメータで画像処理が行われ、高品質の眼底画像が取得できる。【選択図】  図２
2004187811.tif 000002
【特許請求の範囲】
【請求項１】
被検眼眼底を電子画像として撮影する眼底撮影装置において、
眼底像を受光する光電変換素子と、
前記光電変換素子で得られた画像信号に対して画像処理を行う画像処理手段と、
眼底を撮影する撮影モードを判別する判別手段と、
前記画像処理の設定値を撮影モードごとに記憶した記憶手段とを備え、
シャッター操作に同期して、判別された撮影モードに対応する設定値を読み出し、その読み出された設定値に基づき画像信号を処理して眼底の電子画像を取得することを特徴とする眼底撮影装置。
【請求項２】
時間を計測するタイマーが設けられ、前記判別手段は、タイマーの作動の有無に応じて撮影モードを判別することを特徴とする請求項１に記載の眼底撮影装置。
【請求項３】
前記設定値を任意に設定する手段を設けたことを特徴とする請求項１または２に記載の眼底撮影装置。
【請求項４】
蛍光撮影モードにおける設定値は固定とし、カラー撮影モードにおける設定値は任意に設定可能としたことを特徴とする請求項３に記載の眼底撮影装置。
【請求項５】
カラー撮影モードの設定値を複数パターン記憶することができることを特徴とする請求項３または４に記載の眼底撮影装置。
【請求項６】
前記設定値が、ＲＧＢゲイン値、黒レベル値、ガンマ補正値の少なくとも一つを含むことを特徴とする請求項１から５のいずれか１項に記載の眼底撮影装置。
【請求項７】
前記光電変換素子で得られた画像信号を一時的に記録する一時記録手段を備え、一時記録手段に記録された画像信号を読み取り、画像処理を行うことを特徴とする請求項１から６のいずれか１項に記載の眼底撮影装置。
【発明の詳細な説明】
【０００１】
【発明の属する技術分野】
本発明は、眼底撮影装置、さらに詳細には、ＣＣＤカメラのような撮像装置を用いて被検眼眼底を電子画像として撮影する眼底撮影装置に関する。
【０００２】
【従来の技術】
最近の眼底カメラでは、眼底の画像がＣＣＤカメラ（ＴＶカメラ）によりカラー撮像され、画像処理されてモニタに表示されたり、あるいは外部記憶装置に画像が格納されて保存することが行われている。眼底カメラの撮影モードには、このようなカラー撮影だけではなく、蛍光撮影モードもあり、眼底の蛍光画像を撮像する場合は、カラー画像ではなく白黒画像として画像が表示されあるいは保存されている。
【０００３】
このように種々の撮影モードに対応して最適な画像が表示ないし保存されるようにするために、ＣＣＤカメラのゲイン、ガンマ、色温度などのパラメータを、撮影モードに応じて最適のパラメータに自動設定することが行われている（特許文献１）。
【０００４】
また、蛍光撮影が行われるときには、蛍光剤が投与されてからの時間経過を示すタイマーが設けられるので、このタイマーの作動により蛍光撮影を識別し、タイマー作動中に取り込まれる眼底画像は、ボタン操作により白黒画像に変換しなくても、自動的に白黒画像に変換することが行われており（特許文献２）、またこのタイマーの計時に従い蛍光撮影時の眼底画像の画質を改善することが行われている（特許文献３）。さらに、蛍光撮影初期においては、撮影光量又はＣＣＤカメラのゲインを低めに設定し、蛍光像が現れたときには、撮影光量又はＣＣＤカメラのゲインを高い値に設定することが行われている（特許文献４）。
【０００５】
また、医療用の画像を処理するとき、画像処理パラメータを変更して処理画像を表示したり、画像処理パラメータをファイルから読み出してこのパラメータで画像処理を行うことが行われている（特許文献５、６）。
【０００６】
【特許文献１】
特開２００１−２４５８５１（請求項１〜８）
【特許文献２】
特開２０００−２１７７８５（［０００７］段落）
【特許文献３】
特開平９−３０８６０９（請求項１）
【特許文献４】
特開２０００−３３３９０６（［００１５］、［００２８］段落）
【特許文献５】
特開２００２−１５７５７９（請求項１）
【特許文献６】
特開２００２−１５７５８０（請求項１）
【０００７】
【発明が解決しようとする課題】
しかしながら、従来の眼底撮影では、撮影モードに、カラー撮影モード、可視蛍光モード、赤外蛍光モードなどの特殊撮影モードがあり、どの撮影モードであるかを、フィルタの挿入の有無、タイマー作動の有無など種々のファクタを考慮して行っているので、撮影モードの誤判別が発生するとともに、個々の撮影モードに対して最適の画像処理パラメータを設定するのが困難であるという問題があった。
【０００８】
本発明は、このような問題点を解決するためになされたもので、被検眼の画像を撮影モードに対応した最適の処理パラメータで処理して高品質の眼底画像を取得できる眼底撮影装置を提供することを課題とする。
【０００９】
【課題を解決するための手段】
本発明は、上記課題を解決するために、
被検眼眼底を電子画像として撮影する眼底撮影装置において、
眼底像を受光する光電変換素子と、
前記光電変換素子で得られた画像信号に対して画像処理を行う画像処理手段と、
眼底を撮影する撮影モードを判別する判別手段と、
前記画像処理の設定値を撮影モードごとに記憶した記憶手段とを備え、
シャッター操作に同期して、判別された撮影モードに対応する設定値を読み出し、その読み出された設定値に基づき画像信号を処理して眼底の電子画像を取得する構成を採用している。
【００１０】
このような構成では、シャッター操作に同期して、撮影モードを判別し、その撮影モードに適する画像処理パラメータで被検眼の画像信号を処理しているので、撮影モードの判別が確実になるとともに、判別された撮影モードに最適な画像処理パラメータで画像処理が行われ、高品質の眼底画像が取得できる。
【００１１】
【発明の実施の形態】
以下、図面に示す実施の形態に従って本発明を詳細に説明する。
【００１２】
図１は、眼底カメラ本体３０の構成が図示されており、照明ランプ１並びにミラー１’で反射された光は、フィルタ２、コンデンサーレンズ３、ストロボ４、コンデンサーレンズ５を経て、全反射ミラー６によって反射され、続いてレンズ７、リング状照明を形成するためのリングスリット８、さらにリレーレンズ９、中心に穴の開いた穴あき全反射ミラー１０で反射されてから対物レンズ１１を経て、被検眼Ｅの眼底Ｅｒに入射される。
【００１３】
眼底Ｅｒからの反射光は、対物レンズ１１を介して受光され、穴あき全反射ミラー１０の穴を介して変倍レンズ１４、リレーレンズ１５を通過してリターンミラー１６に入射する。リターンミラー１６は、観察時には、図示の位置に挿入され、眼底像がミラー１７並びにレンズ群１８を介して観察部１９に導かれ、検者により眼底が観察される。また撮影時には、リターンミラー１６が光路から退避して、眼底像がＣＣＤカメラ（光電変換素子）３１に受光され、このＣＣＤカメラ３１からの画像信号が、後述する画像処理部４０で処理され、表示部５０に表示される。また、蛍光撮影時には、エキサイターフィルタ１３とバリアーフィルタ２２が光路に挿入される。
【００１４】
ＣＰＵ１２は、操作部２３からの操作信号を受けて、ランプ１のＯＮ／ＯＦＦ、撮影モードに応じたフィルタ２、１３、２２の挿脱、シャッター３２の操作に同期したストロボ４の発光、変倍レンズ１４、１４’の交換、リターンミラー１６の挿脱などを制御し、また蛍光撮影開始時作動されるタイマー２１の計時情報を取り込み、操作部２３、シャッター３２、タイマー情報などから撮影モードを判別する。例えば、フィルタ２が挿入された場合には、特殊撮影モード（例えば、赤外蛍光撮影）であり、エキサイターフィルタ１３及び／又はバリアーフィルタ２２が挿入された場合、あるいはタイマー２１が作動された場合には、蛍光撮影モードであり、変倍レンズ１４、１４’の交換があると変倍撮影モードであることを判別し、判別された撮影モードの種別を画像処理部４０に送信する。また、ＣＰＵ１２は、ＣＣＤカメラ３１の作動を制御する。
【００１５】
画像処理部４０は、図２に図示したように、設定部４１を有し、この設定部４１により画像信号のＲＧＢゲインａｎ（ｎ＝０、１、２、．．．．．）、黒レベルｂｎ（ｎ＝０、１、２、．．．．．）、ガンマ補正ｃｎ（ｎ＝０、１、２、．．．．．）の各パラメータを設定でき、図示の例では、ＣＣＤカメラ３１からの原画像を再現する場合には（ａ０、ｂ０、ｃ０）、カラー撮影で画角が２５°の変倍のときには（ａ１、ｂ１、ｃ１）、カラー撮影で画角が５０°の変倍のときには（ａ２、ｂ２、ｃ２）、蛍光撮影のときには（ａ３、ｂ３、ｃ３）、特殊フィルタが挿入される撮影時には（ａ４、ｂ４、ｃ４）のパラメータが設定される。これらの設定されたパラメータは、テーブル（記憶手段）４２の形で画像処理部４０内に保存される。このようなパラメータの設定値は、任意に設定することができ、その場合、蛍光撮影モードにおける設定値は固定とし、カラー撮影モードに対する設定値を任意に設定できるようにしてもよい。
【００１６】
また、画像処理部４０には、マトリックス処理演算部４３と白黒変換部４４が設けられ、マトリックス処理演算部４３はテーブル４２により設定された一組のパラメータパターン（ａｎ、ｂｎ、ｃｎ）に従って、ＣＣＤカメラ３１の画像信号のうち、Ｒ信号からＲ’＝Ｒ＊（ａｎ＋ｂｎ＋ｃｎ）、Ｇ信号からＧ’＝Ｇ＊（ａｎ＋ｂｎ＋ｃｎ）、Ｂ信号からＢ’＝Ｂ＊（ａｎ＋ｂｎ＋ｃｎ）をそれぞれ形成し、同期信号ＳＹＮＣに従ってこれらのＲ’Ｇ’Ｂ’信号を表示部５０に表示する。この場合、蛍光撮影が識別された場合には、カラー画像を白黒画像に変換できるようにするために、白黒変換部４４が設けられる。
【００１７】
このような構成で、眼底カメラ３０で観察部１９を介して眼底観察を行い、アライメントや焦点調節を行って眼底撮影の準備が整うと、検者はシャッター３２を操作する。そのシャッター操作に同期して、ＣＰＵ１２はＣＣＤカメラ３１を作動させ、眼底像が撮像される。また、ＣＰＵ１２は、シャッター操作に同期して、使用したフィルターや変倍レンズの種類、タイマーのＯＮ／ＯＦＦなどの情報を取り込んで撮影モードを判別する。例えば、ＣＰＵ１２は、エキサイターフィルタ１３及び／又はバリアーフィルタ２２が挿入された場合、あるいはタイマー２１が作動された場合には、蛍光撮影モードと判別し、フィルタ２が挿入された場合には、特殊撮影モードと判別し、これらのフィルタ１３、２２、２の挿入がなく、タイマー２１が作動されていない場合には、通常のカラー撮影モードで、変倍レンズ１４が選択されている場合は、２５°の画角のカラー撮影で、変倍レンズ１４’が選択されている場合は、５０°の画角のカラー撮影であると判別する。
【００１８】
これらの判別された撮影モード情報は、画像処理部４０に送信され、画像処理部４０は、この撮影モード情報に基づきテーブル４２から一組のパラメータパターンを読み出す。原画像をそのまま出力する場合には（ａ０、ｂ０、ｃ０）が、画角２５°のカラー撮影の場合には（ａ１、ｂ１、ｃ１）が、画角５０°のカラー撮影の場合には（ａ２、ｂ２、ｃ２）が、蛍光撮影のときには（ａ３、ｂ３、ｃ３）が、特殊フィルタが挿入される撮影時には（ａ４、ｂ４、ｃ４）が読み出され、このパラメータ設定値に基づいてマトリックス処理演算部４３でＲＧＢゲイン、黒レベル、ガンマ補正が行われ、このパラメータ設定値で処理された眼底画像が表示部５０に表示される。
【００１９】
なお、蛍光撮影モードや特殊撮影モードが判別された場合は、カラー画像は要求されないので、ＣＣＤカメラ３１からの信号を直接白黒変換部４４で白黒画像に変換して表示部５０に表示させるようにしてもよい。
【００２０】
パラメータ設定値は、通常、撮像モードの情報により自動的に選択されるが、ユーザーが事前にパラメータ値を設定しておくことも可能であるし、またどの撮像モードのときにどのパラメータを使用するかをユーザーが事前に決めておいて、その決定に従い自動選択してもよい。
【００２１】
また、白黒変換は蛍光撮影時か特殊フィルタ２を使用したときに行うものなので、タイマー２１がＯＮされているとき、あるいはフィルタ２が挿入されているときに、自動的に白黒変換を行うように設定してもよい。
【００２２】
また、ＣＣＤカメラ３１からの原画像の画像信号及び／又はマトリックス処理演算部４３あるいは白黒変換部４４で画像処理された画像信号を、メモリ４５、４６のような一時記録手段に一時的に保存したり、またこの一時記録手段に記録された画像信号を読み取り、画像処理を行うことも可能である。またこれらの画像信号を適宜ハードディスク等の記憶部５１に保存しておくようにすることも可能である。このとき、保存する画像を、撮影モード情報と一緒に関連付けて保存しておくようにしてもよい。
【００２３】
【発明の効果】
以上説明したように、シャッター操作に同期して、判別された撮影モードに対応する画像処理パラメータの設定値を読み出し、その読み出された設定値に基づき被検眼の画像信号を処理しているので、撮影モードの判別が確実になるとともに、判別された撮影モードに最適な画像処理パラメータで画像処理が行われ、高品質の眼底画像が取得できる、という優れた効果が得られる。
【図面の簡単な説明】
【図１】眼底カメラの光学系の構成を示す光学図である。
【図２】眼底カメラと画像処理装置の構成を示す構成図である。
【符号の説明】
１２  ＣＰＵ
２１  タイマー
３０  眼底カメラ
３１  ＣＣＤカメラ
３２  シャッター
４０  画像処理部
４３  マトリックス処理演算部
４４  白黒変換部
５０  表示部
【図１】
2004187811.tif 000003
【図２】
2004187811.tif 000004